(57)【特許請求の範囲】
【請求項１】
発泡を伴う有機性廃水処理槽の上蓋開口部に設置する消泡装置であって、
上部に排気口を有し、下側が前記有機性廃水処理槽の上蓋開口部に連通するように開口した外ケーシングと、
その外ケーシングの内部に、外ケーシングの内壁との間に隙間を設けて設置され、下側が開口し、側面に複数の孔を設けた筒状の回転体と、
前記外ケーシングの底部に設けられ、前記回転体の径よりも小さい径でかつ当該回転体の下端よりも高い堰を内側に有する略円環状の水封用水溜板とを備えたことを特徴とする、廃水処理槽における消泡装置。
【請求項２】
前記回転体の上方かつ前記外ケーシング内部に、前記回転体の上面に対して散水する散水器を設けた請求項１記載の廃水処理槽における消泡装置。
【請求項３】
前記水溜板を貫通するように、上端が前記水溜板の内側の堰の高さよりも低く、下端が前記有機性廃水処理槽につながる水抜管を設けた請求項１または２に記載の廃水処理槽における消泡装置。
【発明の詳細な説明】
【０００１】
【発明の属する技術分野】
本発明は、下水、屎尿、及び産業廃水等の汚水を処理する発泡を伴う有機性廃水処理装置の消泡装置に関する。
【０００２】
【従来の技術】
有機性廃水処理では、好気性菌による浄化を行う好気性処理と、嫌気性菌により浄化を行う嫌気性処理がある。
【０００３】
好気性処理は活性汚泥法ともよばれ、処理槽内に空気または酸素を曝気し活性汚泥中の好気性微生物により廃水内の有機物を除去する方法である。
【０００４】
嫌気性処理は槽内を嫌気状態にし嫌気性菌により酸発酵、メタン発酵の順で有機物を除去する方法である。
【０００５】
この中で好気性処理では曝気処理を行うため、蛋白などの、高分子で粘性の高い物質により発泡が生じ槽内より溢れ出る現象が発生するため消泡が不可欠である。
【０００６】
従来においては、発泡を防止するため、無機シリカ系や有機高分子系の消泡剤を添加する方法や散水ノズルにより消去する方法、また消泡剤と散水ノズルを併用する方法が採られていた。
【０００７】
【発明が解決しようとする課題】
しかしながら、消泡剤を使う方法は消泡剤のコストがかかるのと、定量的に散布する設備が必要となる。
また散水ノズルを使う方法は少量の発泡には向いているが、大量の泡が発生する、開口面積が小さな深層曝気槽では不向きである。
【０００８】
本発明が解決しようとする課題は、上記のような問題を解決し、有機性廃水処理槽において発生する泡を効率よく低コストで消泡する装置を提供することにある。
【０００９】
【課題を解決するための手段】
前記課題を解決するため、本発明は、発泡を伴う有機性廃水処理槽の上蓋開口部に設置する消泡装置であって、上部に排気口を有し、下側が前記有機性廃水処理槽の上蓋開口部に連通するように開口した外ケーシングと、その外ケーシングの内部に、外ケーシングの内壁との間に隙間を設けて設置され、下側が開口し、側面に複数の孔を設けた筒状の回転体と、前記外ケーシングの底部に設けられ、前記回転体の径よりも小さい径でかつ当該回転体の下端よりも高い堰を内側に有する略円環状の水封用水溜板とを備えたものである。
【００１０】
本発明においては、有機性廃水処理槽の上部で発生した泡は、外ケーシングの下側開口を通って回転体に入る。回転体内部に入った泡は、回転体が回転することにより発生する遠心力で、回転体側面の複数の孔より外ケーシングの内壁にぶつかり破壊される。破壊された泡は、気体と固体及び液体に分けられ、気体は排気口より外部に放出され、固体及び液体は堰を越えて有機性廃水処理槽にオーバーフローする。
【００１１】
外ケーシングの底部に設けられた水溜板の堰の上面まで水を入れると、回転体の下側と堰の隙間が水封構造となるので、回転体と外ケーシングとの隙間が有機性廃水処理槽と隔離される。
【００１２】
また回転体の上方かつ外ケーシング内部に、回転体の上面に対して散水する散水器を設け、外ケーシングの上部より回転体に散水することにより、回転体の回転で水が遠心力によって外ケーシング内面にあたり下降する。これにより、外ケーシング内面が清掃されるとともに水封水の補給が行われる。
【００１３】
また水溜板を貫通するように、上端が水溜板の内側の堰の高さよりも低く、下端が有機性廃水処理槽につながる水抜管を設けることにより、散水が有機性廃水処理槽内に戻ることになり、水封水のレベルが一定に保たれる。
【００１４】
【発明の実施の形態】
以下、本発明の実施の形態を図１から図４を用いて説明する。
図１は本実施の形態に係る消泡装置を備えた有機性廃水処理槽を示す縦断面図、図２は消泡装置の拡大断面図、図３は図２のＡ矢視図、図４は図２のＢ矢視図、図５は図２のＣ−Ｃ線より見た下部固定板の平面図である。
【００１５】
これらの図において、有機性廃水処理槽１には廃水中の好気性微生物に酸素または空気を曝気する曝気ノズル２と給気管３が設けられている。有機性廃水処理槽１の上蓋４の開口部には消泡装置５が設置されている。
【００１６】
消泡装置５は、図２〜図５に詳細を示すように、有機性廃水処理槽１の上蓋４の開口部に固定される外ケーシング６を有している。外ケーシング６の上部蓋７には排気口８ａとなる排気筒８が取り付けられ、下部には開口９ａを有する軸受固定板９が取り付けられている。
【００１７】
外ケーシング６の中心部には上部蓋７と軸受固定板９にそれぞれ取り付けられた軸受１０，１１によって回転軸１２が支持されている。この回転軸１２に、下側が開口し側面に複数の孔１３ａを設けた筒状の回転体１３が、外ケーシング６の内壁との間に隙間を設けて、上部固定板１４と開口１５ａを有する下部固定板１５（図５参照）により支持、固定されている。孔１３ａの直径は、消泡効果を試験したところ、５〜１０ｍｍが好適であった。５ｍｍ未満では泡が破れにくく、１０ｍｍを超えると小さな泡がそのまま孔１３ａを通過してしまうという結果が生じた。
【００１８】
外ケーシング６の下部には、中央部が回転体１３の外径よりも小さく、回転体１３の下端部よりも高い堰１６ａを有する水封用の水溜板１６が設けられている。
【００１９】
外ケーシング６の内壁下部には、外ケーシング６の内周部と有機性廃水処理槽１とを連通する水抜管１７が設けられている。外ケーシング６の上部蓋７には、回転軸１２を回転駆動するためのモータ１８が取り付けられている。
【００２０】
さらに、軸受１０と回転体１３の上部固定板１４の間には、上部固定板１４に向けて散水する散水器１９が設けられている。吸水管２３から循環ポンプ２２で吸い上げられた有機性廃水処理槽１からの水は、送水管２０を通って散水器１９から散水される。送水管２０には、弁２１が設けられている。散水器１９の上部には泡及び散水飛散防止板２４が設けられている。
【００２１】
以上の構成の消泡装置５の動作について以下に説明する。
有機性廃水処理槽１において生じた泡は、軸受固定板９に設けられた開口９ａより水溜板１６中央の堰１６ａを通り、下部固定板１５の開口１５ａを通って回転体１３の内部に入る。回転体１３内部に入った泡は、回転体１３をほぼ５００ｒｐｍ程度の回転数で回転することにより発生する遠心力で、回転体１３側面の複数の孔１３ａより外ケーシング６の内面にぶつかり破壊される。破壊された泡は、気体と固体及び液体に分けられ、気体は排気口８ａより外部に放出され、固体及び液体は一旦水溜板１６に溜められ、堰１６ａよりオーバーフローして有機性廃水処理槽１内部に溢出する。このように堰１６ａを設けることで水溜板１６に溜まった水が回転体１３と堰１６ａ内側の泡導入口との隙間が水封構造となり、回転体１３と外ケーシング６との隙間を有機性廃水処理槽１と隔離することができる。
【００２２】
散水器１９によって外ケーシング６の上部より回転体１３に散水すると、回転体１３の回転による遠心力によって水が外ケーシング６の内面に当たり、下降する。これにより、外ケーシング６内面を清掃するとともに水封水の補給を行うことができる。
【００２３】
また回転体１３と外ケーシング６との隙間と有機性廃水処理槽１内を貫通する水抜管１７を設けることにより、散水を有機性廃水処理槽１内に戻すことができ、水封水のレベルを一定に保つことができる。
【００２４】
【発明の効果】
上述したように、本発明によれば下記の効果を奏する。
【００２５】
（１）有機性廃水処理槽の上部に設置される消泡装置を、上部に排気口を有し、下側が前記有機性廃水処理槽の上蓋開口部に連通するように開口した外ケーシングと、その外ケーシングの内部に、外ケーシングの内壁との間に隙間を設けて設置され、下側が開口し、側面に複数の孔を設けた筒状の回転体と、前記外ケーシングの底部に設けられ、前記回転体の径よりも小さい径でかつ当該回転体の下端よりも高い堰を内側に有する略円環状の水封用水溜板とを備えた構成とすることにより、回転体内部に入った泡が、回転体が回転することにより発生する遠心力で、回転体側面の複数の孔より外ケーシングの内面にぶつかり破壊されるため、有機性廃水処理槽において発生する泡を効率よく消泡することができ、消泡剤を用いないので、装置が簡略化されると共に、コストを低減できる。
【００２６】
（２）外ケーシングの底部に設けられた水溜板の堰の上面まで水を入れると、回転体の下側と堰の隙間が水封構造となるので、回転体と外ケーシングとの隙間が有機性廃水処理槽と隔離され、泡が外ケーシングに侵入することを防止して効率的な消泡を行うことができる。
【００２７】
（３）回転体上面に外ケーシング内で散水するノズルを設け、外ケーシングの上部より回転体に散水することにより、回転体の回転で水が遠心力によって外ケーシング内面にあたって下降し、これにより、外ケーシング内面が清掃されるとともに水封水の補給を行うことができる。
【００２８】
（４）回転体と外ケーシングとの隙間と有機性廃水処理槽内とを貫通する水抜き管を設けることにより、散水が有機性廃水処理槽内に戻ることになり、水封水のレベルが一定に保たれる。
【図面の簡単な説明】
【図１】  本実施の形態に係る消泡装置を備えた有機性廃水処理槽を示す縦断面図である。
【図２】  本実施の形態に係る消泡装置の拡大断面図である。
【図３】  図２のＡ矢視図である。
【図４】  図２のＢ矢視図である。
【図５】  図２のＣ−Ｃ線より見た下部固定板の平面図である。
【符号の説明】
１  有機性廃水処理槽
２  曝気ノズル
３  給気管
４  上蓋
５  消泡装置
６  外ケーシング
７  上部蓋
８  排気筒
８ａ  排気口
９  軸受固定板
９ａ  開口
１０，１１  軸受
１２  回転軸
１３  回転体
１３ａ  孔
１４  上部固定板
１５  下部固定板
１５ａ  開口
１６  水溜板
１６ａ  堰
１７  水抜管
１８  モータ
１９  散水器
２０  送水管
２１  弁
２２  循環ポンプ
２３  吸水管
２４  泡及び散水飛散防止板
【図１】
0003733484.tif 000002
【図２】
0003733484.tif 000003
【図３】
0003733484.tif 000004
【図４】
0003733484.tif 000005
【図５】
0003733484.tif 000006